(57)【要約】【課題】ヘアの本数に係らず挟み可能であること。【解決手段】一端が押圧部であり、他端に複数の挟み部が形成してあり、前記押圧部と前記挟み部との境界の底端面に枢着部が設けてある上爪と、弾性子が巻き付けてあるピンを有する枢着子と、一端が押圧部であり、他端に複数の挟み部が形成してあり、前記各挟み部の上端面は、全て弧状に突起しており、弾性を持つ挟み片を有し、前記押圧部と前記挟み部との境界の上端面に枢着部が設けてある下爪と、を含み、前記上爪の挟み部は、弧状を呈し、底端面に挟み歯が複数に形成してあり、前記上爪の挟み部の数量は前記下爪の挟み部よりも一個プラスである。【選択図】図１
0003134787.tif 000002
【実用新案登録請求の範囲】
【請求項１】
一端が押圧部であり、他端に複数の挟み部が形成してあり、前記押圧部と前記挟み部との境界の底端面に枢着部が設けてある上爪と、
弾性子が巻き付けてあるピンを有する枢着子と、
一端が押圧部であり、他端に複数の挟み部が形成してあり、前記各挟み部の上端面は、全て弧状に突起しており、弾性を持つ挟み片を有し、前記押圧部と前記挟み部との境界の上端面に枢着部が設けてある下爪と、を含むことを特徴とする、
ヘアクリップ。
【請求項２】
前記上爪の挟み部は、弧状を呈し、底端面に挟み歯が複数に形成してあることを特徴とする、請求項１に記載のヘアクリップ。
【請求項３】
前記上爪の挟み部の数量は前記下爪の挟み部よりも一個プラスであることを特徴とする、請求項１に記載のヘアクリップ。
【考案の詳細な説明】
【技術分野】
【０００１】
本考案は、ヘアクリップに係り、特に、下爪の各挟み部の上端面は、全て弧状に突起しており、弾性を持つ挟み片を有し、ヘアの本数に係らず挟み可能のヘアクリップに関するものである。
【背景技術】
【０００２】
目下、女性の長いヘアは、女性の魅力を男性にアピールするものである。
しかし、忙しい商工社会において、長いヘアの整理は女性にとって極めて面倒なことである。
そのため、長いヘアを持つ女性は、髷、ヘアクリップやヘア造型ゲルなどにより、場所や衣装などに合えるヘアスタイルを整理することが一般的になった。
そのなかのヘアクリップによれば、使用が極めて利便であり、仕事中にヘアが目を隠すことによる意外を回避可能であり、熱い場所でヘアがネックに粘着することによる不快な感覚を回避可能であるので、長いヘアを持つ女性に愛用されている。
【０００３】
従来のヘアクリップは、図６に示すように、一つの押圧体５と、一つの下ヘアとき体６とから構成される。
前記押圧体５は、弧状に突起しており、後端に上押圧部５１が延設してあり、前端に若干の突起が列になって設けてある。
また、前記下ヘアとき体６は、形状が前記押圧体５に合い、後端にフラットな下押圧部６１が設けてあり、弾性子により押圧体５と下ヘアとき体６とが互いに当接するときに、前端にある櫛歯６２が、押圧体５にある突起５２の間の隙間に収容されて、櫛として使用可能である。
【０００４】
もう一つの従来のヘアクリップは、図７に示すように、下挟み体７と、上挟み体８とを有する。
前記下挟み体７は、頭の曲率に合わせて弧状を呈し、一側に挟み部７１を有し、他側に押圧部７２を有し、内面に枢着部７３が設けてある。
また、前記上挟み体８は、一側に挟み部８１を有し、他側に押圧部８２を有し、内面に枢着部８３が設けてある。
前記挟み部８１は、頭の曲率に合わせて弧状を呈し、若干の挟み歯８１１を有し、前記枢着部７３，８３により、下挟み体７と上挟み体８とが弾性的に当接するようになり、下挟み体７にある挟み部７１の被覆部が上挟み体８にある挟み部８１の挟み歯８１１の隙間に伸び入れるようになる。
【考案の開示】
【考案が解決しようとする課題】
【０００５】
しかしながら、これらの従来のヘアクリップには次のような欠点があった。
（イ）挟まろうとするヘアの本数が少ない場合には、従来のヘアクリップの押圧体と下ヘアとき体との挟み力が不十分であり、だから、このようなヘアから脱落することがあり、ヘアのスタイルを保持することができない。
【０００６】
（ロ）挟まろうとするヘアの本数が多い場合には、従来のヘアクリップの押圧体と下ヘアとき体との間の空間が不十分であり、だから、押圧体と下ヘアとき体との開角が常時に過度に開かれるようになり、弾性子が弾性疲労によりヘアのスタイルを保持することができない。
【課題を解決するための手段】
【０００７】
上記欠点を解決するためになされた本願の第１考案は、一端が押圧部であり、他端に複数の挟み部が形成してあり、前記押圧部と前記挟み部との境界の底端面に枢着部が設けてある上爪と、弾性子が巻き付けてあるピンを有する枢着子と、一端が押圧部であり、他端に複数の挟み部が形成してあり、前記各挟み部の上端面は、全て弧状に突起しており、弾性を持つ挟み片を有し、前記押圧部と前記挟み部との境界の上端面に枢着部が設けてある下爪と、を含むことを特徴とするヘアクリップであることを要旨としている。
【０００８】
本願の第２考案では、前記上爪の挟み部は、弧状を呈し、底端面に挟み歯が複数に形成してあることを特徴とする前記第１考案に記載のヘアクリップであることを要旨としている。
【０００９】
本願の第３考案では、前記上爪の挟み部の数量は前記下爪の挟み部よりも一個プラスであることを特徴とする前記第１考案に記載のヘアクリップであることを要旨としている。
【考案の効果】
【００１０】
本考案のヘアクリップによれば、次のような効果が得られる。
（イ）挟まろうとするヘアの本数が少ない場合には、下爪の各挟み部の上端面は、全て弧状に突起しており、弾性を持つ挟み片を有し、且つ下爪の挟み片に突起部が複数に形成してあり、これにより、下爪と上爪とにより、ヘアが確りと固定可能になる。
【００１１】
（ロ）挟まろうとするヘアの本数が多い場合には、下爪の挟み片が弾性を持つので、ヘアを挟んでいるときに挟み片が下爪の底部に湾曲するようになり、これにより、上爪と下爪との間の空間が増加し、大量のヘアを収容可能である。
【考案を実施するための最良の形態】
【００１２】
以下、添付図面を参照して本考案の好適な実施の形態を詳細に説明する。
まず、図１を参照する。
本考案の実施例のヘアクリップは、上爪１と、下爪２と、枢着子３とから構成される。
【００１３】
前記上爪１は、一端が押圧部１１であり、他端に複数の挟み部１２が形成してあり、前記押圧部１１と前記挟み部１２との境界の底端面に枢着部１３が設けてある。挟み部１２は、弧状を呈し、底端面に挟み歯１２１が複数に形成してある。
【００１４】
前記下爪２は、一端が押圧部２１であり、他端に複数の挟み部２２が形成してある。
前記上爪１の挟み部１２の数量は前記下爪２の挟み部２２よりも一個プラスである。
このような構成により、前記下爪２の挟み部２２がそれぞれ前記上爪１の挟み部１２と交錯するようになる。
前記押圧部２１と前記挟み部２２との境界の上端面に枢着部２３が設けてある。
前記各挟み部２２の上端面は、全て弧状に突起しており、弾性を持つ挟み片２４を有し、前記挟み片２４の上で突出部２４１が複数に形成してある。
【００１５】
前記枢着子３は、弾性子３２が巻き付けてあるピン３１を有し、前記枢着子３により上爪１と下爪２とが枢着され、且つ前記弾性子３２により、上爪１と下爪２とが付勢され、ヘアを挟む力が提供される。
【００１６】
次に、図１乃至図３を参照しながら本考案の組付方法を詳細に説明する。
本考案の組付方法は、上爪１と下爪２との枢着部１３，２３と、弾性子３２とに枢着子３のピン３１を貫入する。
そうすると、弾性子３２の両端が上爪１と下爪２との押圧部１１，２１にそれぞれ付勢して、上爪１と下爪２とが互いに当接するようになる。
前記上爪１の挟み部１２の数量は前記下爪２の挟み部２２よりも一個プラスであるので、前記下爪２の挟み部２２がそれぞれ前記上爪１の挟み部１２と交錯するようになる。
【００１７】
次に、図１、図４と図５を参照しながら本考案の使用方法を詳細に説明する。
まず、手で上爪１と下爪２との押圧部１１，２１を押圧して、上爪１と下爪２が当接状態から分離して、挟まろうとするヘア４を上爪１と下爪２との間に入れて、手の押圧部１１，２１に対する押圧を停止して、弾性子３２の弾性力によりヘア４が上爪１と下爪２との間に挟まれるようになる。
また、前記下爪２の各挟み部２２の上端面は、全て弧状に突起しており、弾性を持つ挟み片２４を有するので、ヘア４の本数に係らず挟み可能である。
すなわち、挟まろうとするヘア４の本数が少ない場合には、下爪２が挟み片２４を利用して上爪１と一緒にヘア４を挟むことができる。
下爪２の挟み片２４に突起部２４１が複数に形成してあり、前記突起部２４１によりヘア４との摩擦力が増加するようになる。
また、挟まろうとするヘアの本数が多い場合には、下爪２の挟み片２４が弾性を持つので、ヘア４を挟んでいるときに挟み片２４が下爪２の底部に湾曲するようになる。
これにより、上爪１と下爪２との間の空間が増加し、大量のヘア４を収容可能になる。
【図面の簡単な説明】
【００１８】
【図１】本考案の構造を示す分解斜視図である。
【図２】本考案の組合状態を示す斜視図である。
【図３】本考案の組合状態を示す側面図である。
【図４】本考案で少量のヘアを挟んだ状態を示す側面図である。
【図５】本考案で多量のヘアを挟んだ状態を示す正面断面図である。
【図６】従来のものの分解斜視図である。
【図７】もう一つの従来のものの分解斜視図である。
【符号の説明】
【００１９】
１        上爪
２        下爪
３        枢着子
４        ヘア
５        押圧体
６        下ヘアとき体
７        下挟み体
８        上挟み体
１１      押圧部
１２      挟み部
１３      枢着部
２１      押圧部
２２      挟み部
２３      枢着部
２４      挟み片
３１      ピン
３２      弾性子
５１      上押圧部
５２      突起
６１      下押圧部
６２      櫛歯
７１      挟み部
７２      押圧部
７３      枢着部
８１      挟み部
８２      押圧部
８３      枢着部
１２１    挟み歯
２４１    突出部
７１１    挟み歯
７１２    被覆部
８１１    挟み歯
【図１】
0003134787.tif 000003
【図２】
0003134787.tif 000004
【図３】
0003134787.tif 000005
【図４】
0003134787.tif 000006
【図５】
0003134787.tif 000007
【図６】
0003134787.tif 000008
【図７】
0003134787.tif 000009